(57)【要約】【課題】  画面透視入力部とキー入力部について、その周囲と完全にシームレス（継ぎ目なし）のデザインが可能であり、油脂等の汚れを拭き取りやすく、またキー入力部についてその周囲と柄の見当ズレのないデザインが可能である電子機器表示窓のタッチ入力機能  付き保護パネルを提供する。【解決手段】  電子機器表示窓のタッチ入力機能付き保護パネルは、保護パネル本体が、上面に矩形の下部透明電極と当該下部透明電極の周囲に設けられた下部回路とを有するものであり、空気層を介して前記下部透明電極に対向して下面に上部透明電極及び入力キー用接点が形成された上部電極シートと接着されており、前記上部透明電極と前記下部透明電極との重複によって前記透明窓部に画面透視入力部を構成するとともに、前記上部透明電極と前記入力キー用接点との重複によって前記透明窓部以外の箇所にキー入力部を構成している。【選択図】      図１
2008262289.tif 000002
【特許請求の範囲】
【請求項１】
非可撓性の保護パネル本体の上面に矩形の下部透明電極と当該下部透明電極の周囲に設けられた下部回路とを有する下部電極パネルと、
可撓性の透明絶縁フィルムの下面に矩形の上部透明電極と当該上部透明電極の周囲に設けられた上部回路とを有し、前記下部電極パネルと電極間に隙間を形成して接着された上部電極シートと、
可撓性の透明絶縁フィルムの少なくとも一方の面に前記下部回路及び前記上部回路を隠蔽して透明窓部を形成する加飾層を有し、上部電極シートの上面に貼り合わされた加飾シートと、
前記下部電極パネルに設けられた貫通孔を介して電気信号を取り出すピン付きＦＰＣとを備え、
開口を有するケーシングのパネル嵌め込み部に、その外側面が同一平面を形成するように隙間なく嵌め込み保持可能に構成されると共に、前記透明窓部を通して外部から視認可能にその下側に配置されたディスプレイ装置を保護する電子機器表示窓のタッチ入力機能付き保護パネルであって、
前記下部回路が前記下部透明電極の平行な二辺に配置された一対の下部バスバーを有し、
前記上部回路が前記上部透明電極の平行且つ前記下部バスバーと垂直方向の二辺に配置された一対の上部バスバーと、当該上部バスバーの少なくとも一つから延長線部を介して接続され、さらに前記下部バスバーに平行な同一線上には２以上存在することなく且つ前記下部透明電極との間に隙間を形成している入力キー用接点とを有し、
前記下部透明電極と前記上部透明電極との重複によって前記透明窓部に画面透視入力部を構成するとともに、
前記下部透明電極と前記入力キー用接点との重複によって前記透明窓部以外の箇所にキー入力部を構成することを特徴とする電子機器表示窓のタッチ入力機能付き保護パネル。
【請求項２】
非可撓性の保護パネル本体の上面に矩形の下部透明電極と当該下部透明電極の周囲に設けられた下部回路とを有する下部電極パネルと、
可撓性の透明絶縁フィルムの下面に矩形の上部透明電極と当該上部透明電極の周囲に設けられた上部回路とを有し、前記下部電極パネルと電極間に隙間を形成して接着された上部電極シートと、
可撓性の透明絶縁フィルムの少なくとも一方の面に前記下部回路及び前記上部回路を隠蔽して透明窓部を形成する加飾層を有し、上部電極シートの上面に貼り合わされた加飾シートと、
前記下部電極パネルに設けられた貫通孔を介して電気信号を取り出すピン付きＦＰＣとを備え、
開口を有するケーシングのパネル嵌め込み部に、その外側面が同一平面を形成するように隙間なく嵌め込み保持可能に構成されると共に、前記透明窓部を通して外部から視認可能にその下側に配置されたディスプレイ装置を保護する電子機器表示窓のタッチ入力機能付き保護パネルであって、
前記上部回路が前記上部透明電極の平行な二辺に配置された一対の上部バスバーを有し、
前記下部回路が前記下部透明電極の平行且つ前記上部バスバーと垂直方向の二辺に配置された一対の下部バスバーと、当該下部バスバーの少なくとも一つから延長線部を介して接続され、さらに前記上部バスバーに平行な同一線上には２以上存在することなく且つ前記上部透明電極との間に隙間を形成している入力キー用接点を有し、
前記上部透明電極と前記下部透明電極との重複によって前記透明窓部に画面透視入力部を構成するとともに、
前記上部透明電極と前記入力キー用接点との重複によって前記透明窓部以外の箇所にキー入力部を構成することを特徴とする電子機器表示窓のタッチ入力機能付き保護パネル。
【請求項３】
前記キー入力部が、複数個配列してテンキーを構成するものである請求項１又は請求項２のいずれかに記載の電子機器表示窓のタッチ入力機能付き保護パネル。
【発明の詳細な説明】
【技術分野】
【０００１】
本発明は、携帯電話機、スマートフォン、ＰＤＡ等の電子機器等の用途に用いられるタッチ入力機能付き保護パネルに関するものである。
【背景技術】
【０００２】
従来、携帯電話機、スマートフォン、ＰＤＡ等の電子機器には、ディスプレイ２０の前面にアナログ抵抗膜方式のタッチパネルが搭載されることにより画面透視入力が可能なものがある。このタッチパネル１００は、透明絶縁フィルムの上面に矩形の下部透明電極１０７と当該下部透明電極１０７の周囲に設けられた下部回路とを有する下部電シート１０５と、透明絶縁フィルムの下面に矩形の上部透明電極１０６と当該上部透明電極１０６の周囲に設けられた上部回路とを有し、前記下部電極シート１０５と少なくとも電極間に隙間を形成するように（例えば、抜き孔を有する絶縁シート１０４を介して）接着された上部電極シート１０３と、両電極シート１０３，１０５間に側方より挿入されて電気信号を取り出すＦＰＣ１１０とを備えたものであり、背後のディスプレイ２０の画面を透視しながら画面の指示にしたがってペンなどで上から押圧することにより、透明電極１０６，１０７間が導通し、座標入力（押圧位置検出）が行なわれる。
【０００３】
また、前記電子機器においては、通常、キーパッド等のメカニカルスイッチやメンブレンスイッチが搭載されており、前記画面透視入力とは別に数字やアルファベット等のテンキー入力が可能である。
【０００４】
しかし、このように画面透視入力用のデバイスとテンキー入力用のデバイスとを個別に設ける場合、各々制御のための部品が必要であり、また電子機器の小型化及び薄型化が難しいという問題がある。
【０００５】
そこで、特許文献１の段落００４８には  タッチパネル１００の前記下部回路が前記下部透明電極１０７の平行な二辺に配置された一対の下部バスバー１０８ａ，１０８ｂを有し、前記上部回路が前記上部透明電極１０６の平行且つ前記下部バスバー１０８ａ，１０８ｂと垂直方向の二辺に配置された一対の上部バスバー１０９ａ，１０９ｂと、当該上部バスバー１０９ａ，１０９ｂの少なくとも一つから延長線部１０９ｃを介して接続され且つ前記下部透明電極１０７との間に隙間を形成している入力キー用接点１０９ｄとを有し、前記下部透明電極１０７と前記上部透明電極１０６との重複によって背後に配置されるディスプレイ２０の画面を透視しながら入力可能な、いわゆる画面透視入力部を構成するとともに、前記下部透明電極１０７と前記入力キー用接点１０９ｄとの重複によってメンブレンスイッチに代替可能なキー入力部を構成することにより、画面透視入力とキー入力の制御を一つのコントローラーで行なうことが開示されている（図９参照）。なお、図９中の１０４ａは画面透視入力部用抜き孔、１０４ｂはキー入力部用抜き孔をそれぞれ示す。
【０００６】
【特許文献１】特開２００２-２０２８４９号公報
【発明の開示】
【発明が解決しようとする課題】
【０００７】
しかしながら、携帯電話機、スマートフォン、ＰＤＡ等の電子機器の電子機器におけるケーシングは、合成樹脂製の前面ケーシング１０２ｂと背面ケーシング１０２ａを組み合わせて構成され、内蔵される前記タッチパネルへの入力は前面ケーシング１０２ｂに設けられた開口部を介して行なわれることになる。例えば、図７に示すように前記タッチパネル１００のキー入力部の前面にキーシート１０１を配置する場合には、前記前面ケーシング１０２ｂには、透視入力用開口部１１１と各キー入力部を棧１１３で隔離した複数のキー入力用開口部１１２が設けられている。また、図８に示すように前記タッチパネル１００のキー入力部の前面にテンキー柄等の印刷部１００ａを形成する場合には、前記前面ケーシング１０２ｂには、透視入力用開口部１１１と複数のキー入力部全体に対応するキー入力用開口部１１４が設けられている。
【０００８】
つまり、図８に示す構成の電子機器の場合、前記前面ケーシング１０２ｂの外表面と画面透視入力部の入力面およびキー入力部の入力面との間には、前記前面ケーシング１０２ｂの厚み分の段差が存在する。また、図７に示す構成の電子機器の場合も、各キー入力部の周囲にキーシート１０１の各キーをスムーズに上下動させるための隙間が存在する。したがって、いずれの場合にも画面透視入力部とキー入力部とこれらを囲うケーシング部分との形状的一体感に乏しいデザインとなっていた。
【０００９】
また、前面ケーシング１０２ｂは、図８における前記タッチパネル１００に形成された印刷部１００ａ、図７におけるキーシート１０１のいずれとも別部材であるため、前面ケーシング１０２ｂの外表面及びキー入力部の入力面とで区別のない連続的な絵柄を設ける場合に組み立て誤差によって見当ズレが起きやすい。つまり、キー入力部とこれを囲うケーシング部分との柄的一体感に乏しいデザインとなっていた。
【００１０】
また、図８に示す構成の電子機器の場合、画面透視入力部の入力面およびキー入力部の入力面に付着する油脂等の汚れを拭き取る場合、前記段差が存在するために、前記前面ケーシング１０２ｂの透視入力用開口部１１１及びキー入力用開口部１１４の際付近は完全に拭き取ることが難しい。また、図７に示す構成の電子機器の場合も、前記隙間が存在するため、拭き取り行為により逆に隙間内に汚れが溜まってしまう。
【００１１】
本発明は、以上のような従来技術の課題を考慮し、画面透視入力部とキー入力部について、その周囲と完全にシームレス（継ぎ目なし）のデザインが可能であり、油脂等の汚れを拭き取りやすく、またキー入力部についてその周囲と柄の見当ズレのないデザインが可能である電子機器表示窓のタッチ入力機能  付き保護パネルを提供するものである。
【課題を解決するための手段】
【００１２】
本発明は、非可撓性の保護パネル本体の上面に矩形の下部透明電極と当該下部透明電極の周囲に設けられた下部回路とを有する下部電極パネルと、
可撓性の透明絶縁フィルムの下面に矩形の上部透明電極と当該上部透明電極の周囲に設けられた上部回路とを有し、前記下部電極パネルと電極間に隙間を形成して接着された上部電極シートと、
可撓性の透明絶縁フィルムの少なくとも一方の面に前記下部回路及び前記上部回路を隠蔽して透明窓部を形成する加飾層を有し、上部電極シートの上面に貼り合わされた加飾シートと、
前記下部電極パネルに設けられた貫通孔を介して電気信号を取り出すピン付きＦＰＣとを備え、
開口を有するケーシングのパネル嵌め込み部に、その外側面が同一平面を形成するように隙間なく嵌め込み保持可能に構成されると共に、前記透明窓部を通して外部から視認可能にその下側に配置されたディスプレイ装置を保護する電子機器表示窓のタッチ入力機能付き保護パネルであって、
前記下部回路が前記下部透明電極の平行な二辺に配置された一対の下部バスバーを有し、
前記上部回路が前記上部透明電極の平行且つ前記下部バスバーと垂直方向の二辺に配置された一対の上部バスバーと、当該上部バスバーの少なくとも一つから延長線部を介して接続され、さらに前記下部バスバーに平行な同一線上には２以上存在することなく且つ前記下部透明電極との間に隙間を形成している入力キー用接点とを有し、
前記下部透明電極と前記上部透明電極との重複によって前記透明窓部に画面透視入力部を構成するとともに、
前記下部透明電極と前記入力キー用接点との重複によって前記透明窓部以外の箇所にキー入力部を構成した。
【００１３】
また、本発明は、非可撓性の保護パネル本体の上面に矩形の下部透明電極と当該下部透明電極の周囲に設けられた下部回路とを有する下部電極パネルと、
可撓性の透明絶縁フィルムの下面に矩形の上部透明電極と当該上部透明電極の周囲に設けられた上部回路とを有し、前記下部電極パネルと電極間に隙間を形成して接着された上部電極シートと、
可撓性の透明絶縁フィルムの少なくとも一方の面に前記下部回路及び前記上部回路を隠蔽して透明窓部を形成する加飾層を有し、上部電極シートの上面に貼り合わされた加飾シートと、
前記下部電極パネルに設けられた貫通孔を介して電気信号を取り出すピン付きＦＰＣとを備え、
開口を有するケーシングのパネル嵌め込み部に、その外側面が同一平面を形成するように隙間なく嵌め込み保持可能に構成されると共に、前記透明窓部を通して外部から視認可能にその下側に配置されたディスプレイ装置を保護する電子機器表示窓のタッチ入力機能付き保護パネルであって、
前記上部回路が前記上部透明電極の平行な二辺に配置された一対の上部バスバーを有し、
前記下部回路が前記下部透明電極の平行且つ前記上部バスバーと垂直方向の二辺に配置された一対の下部バスバーと、当該下部バスバーの少なくとも一つから延長線部を介して接続され、さらに前記上部バスバーに平行な同一線上には２以上存在することなく且つ前記上部透明電極との間に隙間を形成している入力キー用接点を有し、
前記上部透明電極と前記下部透明電極との重複によって前記透明窓部に画面透視入力部を構成するとともに、
前記上部透明電極と前記入力キー用接点との重複によって前記透明窓部以外の箇所にキー入力部を構成した。
【００１４】
前記各構成において、前記キー入力部が、複数個配列してテンキーを構成するようにした。
【発明の効果】
【００１５】
本発明の電子機器表示窓のタッチ入力機能付き保護パネルは、保護パネル本体が、上面に矩形の下部透明電極と当該下部透明電極の周囲に設けられた下部回路とを有するものであり、空気層を介して前記下部透明電極に対向して下面に上部透明電極及び入力キー用接点が形成された上部電極シートと接着されており、前記上部透明電極と前記下部透明電極との重複によって前記透明窓部に画面透視入力部を構成するとともに、前記上部透明電極と前記入力キー用接点との重複によって前記透明窓部以外の箇所にキー入力部を構成しているので、保護パネル本体の前面に画面透視入力とキー入力という２種類のタッチ入力機能を有する。したがって、保護パネルを携帯電話機等の電子機器の開口を有するケーシングのパネル嵌め込み部に嵌め込むことにより、電子機器の外表面における画面透視入力及びキー入力が可能である。
【００１６】
そして、この場合、保護パネル外表面の画面透視入力部、キー入力部及びこれら以外の部分の間で段差がなく、又キー入力部の周囲にも隙間がないので、画面透視入力部とキー入力部について、その周囲と完全にシームレス（継ぎ目なし）の形状的一体感に優れたデザインが得られる。
【００１７】
また、保護パネル外表面の加飾は、加飾シートだけ、すなわち一部材だけで施されるため、透明窓部を除く全体に亘って連続的な絵柄を設ける場合でも見当ズレが起きず、柄的一体感に優れたデザインが得られる（図５参照）。
【００１８】
また、保護パネル外表面の画面透視入力部、キー入力部及びこれら以外の部分の間で段差がなく、又キー入力部の周囲にも隙間がないので、入力等により付着する油脂等の汚れも拭き取りやすい。
【発明を実施するための最良の形態】
【００１９】
以下、図面に示した実施の形態に基づいて本発明を詳細に説明する。
【００２０】
図１は、本発明に係る電子機器表示窓のタッチ入力機能付き保護パネル１の使用例を示す斜視図である。また、図２及び図６は電子機器表示窓のタッチ入力機能付き保護パネル１と製品との関係を図１のＡＡ断面、ＢＢ断面それぞれにおいて説明する図図である。
【００２１】
図１の電子機器表示窓のタッチ入力機能付き保護パネル１は、開口を有するケーシング１９のパネル嵌め込み部に、その外側面が同一平面を形成する（図２及び図６参照）ように隙間なく嵌め込み保持可能に構成されると共に、前記透明窓部を通して外部から視認可能にその下側に配置されたディスプレイ２０を保護することができるものである。
【００２２】
図３は、本発明に係る電子機器表示窓のタッチ入力機能付き保護パネルの構成の一実施例を示す分解斜視図である。
【００２３】
同図において、電子機器表示窓のタッチ入力機能付き保護パネル１は、非可撓性の保護パネル本体３ａの上面に矩形の下部透明電極５と当該下部透明電極の周囲に設けられた下部回路とを有する下部電極パネル３と、可撓性の透明絶縁フィルムの下面に矩形の上部透明電極４と当該上部透明電極の周囲に設けられた上部回路とを有する上部電極シート２ａと、可撓性の透明絶縁フィルムの少なくとも一方の面に前記下部回路及び前記上部回路を隠蔽して透明窓部１８を形成する加飾層を有する加飾シート２ｂと、を備えている。上部電極シート２ａと加飾シート２ｂとは、後述するように、互いに貼り合わされて可動シート２を構成する。
【００２４】
前記上部電極シート２ａと前記下部電極パネル３とは、電極４，５間に隙間（空気層）を形成して両面接着テープ（透明絶縁シート８）により接着され、前記加飾シート２ｂが前記上部電極シート２ａの上面に図示しない透明粘着剤にて貼り合わせられている。
【００２５】
前記上部電極シート２ａと前記下部電極パネル３との間には通常、スペーサー９を設け、それぞれの対向面に設けられている両電極４，５が誤接触しないように構成するが、両電極４，５が重複する面積が小さい場合にはスペーサー９を省略できる。スペーサー９としては、透明な光硬化型樹脂をフォトプロセスで微細なドット状に形成して得ることができる。また、印刷法により微細なドットを多数形成してスペーサー９とすることもできる。
【００２６】
前記下部電極パネル３の前記非可撓性の保護パネル本体の材質としては、透視性に優れ、液晶パネルや有機ＥＬパネルなどのディスプレイ２０を破損から保護できる材料を用いる。例えば、メタクリル樹脂（ＰＭＭＡ）、アクリロ二トリル-スチレン共重合体樹脂（ＡＳ）、アクリロニトリル-ブタジエン-スチレン共重合体樹脂（ＡＢＳ）、セルロースプロピネオート樹脂、ポリカーボネート樹脂（ＰＣ）、ポリスチレン樹脂（ＰＳ）、ポリエステル樹脂、ポリエチレン樹脂などなどのプラスチック板などを用いることができる。特にメタアクリレート（ＰＭＭＡ）が透明に優れている。また、ガラス板を用いてもよい。
【００２７】
また、これらの板の前記下部透明電極５を形成する面に、ポリカーボネート系、ポリアミド系、若しくはポリエーテルケトン系などのエンジニアリングプラスチック、アクリル系、ポリエチレンテレフタレート系、又は、ポリブチレンテレフタレート系などのフィルムを貼り合わせ、当該フィルムを介して前記下部透明電極５を前記下部電極パネル３としてもよい。
【００２８】
また、前記上部電極シート２ａの前記可撓性の透明絶縁フィルムの材質としては、例えば、ポリカーボネート系、ポリアミド系、若しくはポリエーテルケトン系などのエンジニアリングプラスチック、アクリル系、ポリエチレンテレフタレート系、又は、ポリブチレンテレフタレート系などのフィルムを用いることができる。
【００２９】
前記透明電極４，５としては、酸化錫、酸化インジウム、酸化アンチモン、酸化亜鉛、酸化カドミウム、若しくは、インジウムチンオキサイド（ＩＴＯ）などの金属酸化物膜、又は、これらの金属酸化物を主体とする複合膜、又は、金、銀、銅、錫、ニッケル、アルミニウム、若しくは、パラジウムなどの金属膜等が真空蒸着法、スパッタリング、イオンプレーティング、若しくは、ＣＶＤ法によって透明導電膜を形成した後、不要な部分をエッチング除去して矩形状に形成されている。エッチングは、電極として残したい部分にフォトリソ法やスクリーン印刷法によりレジストを形成した後、塩酸などのエッチング液に浸漬するかあるいはエッチング液を噴射してレジストが形成されていない部分の透明導電膜を除去し、次いで溶剤に浸漬することにより、レジストを剥離または溶解させて除去する。また、レーザーによるエッチングも可能である。
【００３０】
また、前記上部電極シート２ａおよび前記下部電極パネル３においては、前記上部透明電極４や前記上部透明電極５と同一面にバスバー６ａ，６ｂ，７ａ，７ｂや図面にて省略した引き回し線等の所定パターン回路が形成され、前記下部電極パネル３にドリル又はプレス機にて設けられた貫通孔を介してピン付きＦＰＣ１０によって外部に出力される。引き回し線の形成パターンはピン付きＦＰＣ１０に接続されるものであればどのように形成してもよい。
【００３１】
本発明の保護パネル１が有するタッチ入力機能は、前記下部回路が前記下部透明電極５の平行な二辺に配置された一対の下部バスバー６ａ，６ｂを有し、前記上部回路が前記上部透明電極４の平行且つ前記下部バスバー６ａ，６ｂと垂直方向の二辺に配置された一対の上部バスバー７ａ，７ｂと、当該上部バスバー７ａ，７ｂの少なくとも一つから延長線部７ｃを介して接続され且つ前記下部透明電極５との間に隙間を形成している入力キー用接点７ｄとを有し、前記下部透明電極５と前記上部透明電極４との重複によって前記透明窓部１８に画面透視入力部（ｉ）を構成するとともに、前記下部透明電極５と前記入力キー用接点７ｄとの重複によって前記透明窓部１８以外の箇所にキー入力部（ｉｉ）を構成したことにより、画面透視入力とキー入力の制御を一つのコントローラーで行なうことができるものである。また、簡単な回路構造で配線数が少なくて済むため、前記透明窓部１８を保護パネル１の外径に極めて近く出来る、所謂狭額縁化が可能である。
【００３２】
さらに詳しく説明すると、画面透視入力部（ｉ）における検出原理は、いわゆるアナログ抵抗膜方式のタッチパネルと同様である。すなわち、Ｘ座標の検出は下部バスバー６ａ，６ｂ間に直流電圧を印加すると下部透明電極５の抵抗によってＸ方向に電位勾配ができ、接触点の電位を上部透明電極４側を通じて検出すると分圧により、押下点のＸ座標がわかり、一方、Ｙ座標の検出は上部バスバー７ａ，７ｂ間に直流電圧を印加すると上部透明電極４の抵抗によってＹ方向に電位勾配ができ、接触点の電位を下部透明電極５側を通じて検出すると分圧により、押下点のＹ座標がわかるというものである。
【００３３】
一方、キー入力部（ｉｉ）における検出原理は、図４に示すテンキーの例を用いて説明すると、まず、上部バスバー７ａ，７ｂ間に直流電圧を印加し、電位勾配を形成する。仮に、上部バスバー７ａを０Ｖ、上部バスバー７ｂを５Ｖになるように電圧を印加すると、テンキー部分の出力電位は全てほぼ０Ｖになる。次に、下部バスバー６ａ，６ｂ間に直流電圧が印加される様にスイッチを切り換える。仮に下部バスバー６ｂを０Ｖ、下部バスバー６ａを５Ｖになるように電圧を印加すると、図４中のＸ１→Ｘ４→Ｘ７→Ｘ＊→Ｘ２→・・・・（Ｘに続く数字や記号はテンキーの表示である。）の順に出力電圧が大きくなる。テンキー部分のＹ座標の出力電位は全て同じになるが、Ｘ座標の出力電位は各キー毎に電位が異なるので、予め、ソフト側にて、各キー座標を割り付けておく。割り付けしたデータと出力データを比較参照することで、どのキーが押されているいるかわかるというのものである。
【００３４】
前記キー入力部（ｉｉ）は、図１、図３及び図５に示すように複数個配列してテンキーを構成することができる。ただし、前記キー入力部（ｉｉ）を複数個配列する場合、前記入力キー用接点７ｄは、前記検出原理によるため、前記下部バスバーに平行な同一線上には２以上存在するがないように形成しなければならない。また、図４においては下部バスバー６ａ，６ｂをＹ方向に平行、上部バスバー７ａ，７ｂをＸ方向に平行に設けているが、逆に下部バスバー６ａ，６ｂをＸ方向に平行、上部バスバー７ａ，７ｂをＹ方向に設けてもよい。
【００３５】
また、前記上部回路及び前記下部回路の材料としては、金、銀、銅、若しくは、ニッケルなどの金属、あるいはカーボンなどの導電性を有するペーストからなり、スクリーン印刷、オフセット印刷、グラビア印刷、若しくはフレキソ印刷などの印刷法、フォトレジスト法、又は、刷毛塗法などによって形成することができる。
【００３６】
また、前記加飾シート２ｂは、可撓性の透明絶縁フィルム、例えばポリカーボネート系、ポリアミド系、若しくは、ポリエーテルケトン系のエンジニアリングプラスチック、アクリル系、ポリエチレンテレフタール系、若しくは、ポリブチレンテレフタール系などのフィルムの片面に透明窓部１８の周囲、すなわち前記上部回路や前記下部回路などを隠蔽するように絵柄１７で加飾層が形成されている。
【００３７】
前記加飾層は、ポリビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、若しくは、アルキド樹脂などの樹脂をバインダ−とし、適切な色の顔料又は染料を着色剤として含有する着色インキを用いるとよい。前記加飾層の形成方法としては、スクリーン印刷、オフセット印刷、グラビア印刷、若しくは、フレキソ印刷などの通常印刷法などを用いるとよい。特に、多色刷りや階調表現を行うには、オフセット印刷法やグラビア印刷法が
適している。
【００３８】
また、前記加飾層は、金属薄膜層からなるもの、あるいは絵柄印刷層と金属薄膜層との組み合わせからなるものでもよい。金属薄膜層は、前記加飾層として金属光沢を表現するものであり、真空蒸着法、スパッタリング法、イオンプレーティング法、若しくは、鍍金法などで形成する。この場合、表現したい金属光沢色に応じて、アルミニウム、ニッケル、金、白金、クロム鉄、銅、スズ、インジウム、銀、チタニウム、鉛、若しくは、亜鉛などの金属、又は、これらの合金又は化合物を使用する。金属薄膜層の膜厚は、０．０５μｍ程度とするのが一般的である。また、金属薄膜層を設ける際に、他の層との密着性を向上させるために、前アンカー層や後アンカー層を設けてもよい。
【００３９】
なお、前記加飾シート２ｂ表面には、ハードコートフィルムが貼り合わせられていてもよい。
【００４０】
以上のように構成することにより、この保護パネル１は、保護パネル本体３ａの前面にタッチ入力機能を有するものとなり、図１に示すように保護パネル１を携帯電話機等の電子機器の開口を有するケーシングのパネル嵌め込み部に嵌め込むことにより、電子機器の外表面における画面透視入力及びキー入力が可能である。
【００４１】
そして、この場合、保護パネル１外表面の画面透視入力部（ｉ）、キー入力部（ｉｉ）及びこれら以外の部分の間で段差がなく、又キー入力部（ｉｉ）の周囲にも隙間がないので、画面透視入力部（ｉ）とキー入力部（ｉｉ）について、その周囲と完全にシームレス（継ぎ目なし）の形状的一体感に優れたデザインが得られる。
【００４２】
また、保護パネル１外表面の加飾は、加飾シート２ｂだけ、すなわち一部材だけで施されるため、透明窓部１８を除く全体に亘って連続的な絵柄を設ける場合でも見当ズレが起きず、柄的一体感に優れたデザインが得られる（図５参照）。
【００４３】
また、保護パネル１外表面の画面透視入力部（ｉ）、キー入力部（ｉｉ）及びこれら以外の部分の間で段差がなく、又キー入力部（ｉｉ）の周囲にも隙間がないので、入力等により付着する油脂等の汚れも拭き取りやすい。
【００４４】
なお、ここまでの図３に基づいて保護パネル１の構成について説明したが、前記上部電極シート２ａの上部部透明電極及び上部回路のパターンと、下部電極パネル３の下部透明電極及び下部回路のパターンとを入れ替えてもよい。すなわち、本発明の電子機器表示窓のタッチ入力機能付き保護パネルは、上部回路が上部透明電極の平行な二辺に配置された一対の上部バスバーを有し、下部回路が下部透明電極の平行且つ前記上部バスバーと垂直方向の二辺に配置された一対の下部バスバーと、当該下部バスバーの少なくとも一つから延長線部を介して接続され、さらに前記上部バスバーに平行な同一線上には２以上存在することなく且つ前記上部透明電極との間に隙間を形成している入力キー用接点を有し、前記上部透明電極と前記下部透明電極との重複によって透明窓部に画面透視入力部を構成するとともに、前記上部透明電極と前記入力キー用接点との重複によって前記透明窓部以外の箇所にキー入力部を構成することもできる。
【実施例】
【００４５】
＜実施例１＞
ロール状の厚み１００μｍのポリカーボネート（ＰＣ）フィルムからなる透明絶縁フィルムの片面に厚み２０ｎｍのＩＴＯ膜をスパッタリングにて全面に形成し、エッチングにて不要部のＩＴＯ膜をエッチング除去することにより画面透視入力部（ｉ）及びキー入力部（ｉｉ）に亘って矩形状をした下部透明電極を形成した。次に、下部透明電極上全面にエポキシアクリレート系の熱硬化型樹脂を用いスクリーン印刷にて、微細なドッド状のスペーサーを形成した。また下部透明電極の縦方向に対向する二辺に配置される下部バスバーと当該下部バスバーから各々外部に出力するための引き回し線を、下部回路として、銀ペーストをスクリーン印刷して形成した。次いで、スクリーン印刷法により微細なドットを多数形成してスペーサーとした。最後に前記下部回路の絶縁を保護するように、シールド層をスクリーン印刷した後、所定サイズの縦長シート状にカットした。
【００４６】
また、縦横が上記ＰＣフィルムと同寸法で厚み１．０ｍｍのポリカーボネート板を、上記ＰＣフィルムの下部透明電極を形成した面とは反対面に厚み０．０２５ｍｍのＰＳＡからなる透明粘着剤で貼り合わせた後、縁部にピン付ＦＰＣのピン軸を挿入するための径１ｍｍの貫通孔を、ドリル法により４つ一列に並べて穿説して下部電極パネルを得た。
【００４７】
また、ロール状の厚み１８８μｍのポリエチレンテレフタレート（ＰＥＴ）フィルムからなる可撓性の透明絶縁フィルムを用い、その一面に厚み２０ｎｍのＩＴＯ膜をスパッタリングにて全面に形成し、縦横が下部電極パネルと同寸法の縦長シート状にカットした後、エッチングにて不要部のＩＴＯ膜を除去することにより画面透視入力部（ｉ）に矩形状をした上部透明電極を形成した。また上部透明電極の横方向に対向する二辺に配置される上部バスバーと当該上部バスバーから各々外部に出力するための引き回し線、さらに一方の上部バスバーの端から延長線部及びキー入力部（ｉｉ）に対応する入力キー用接点を、上部回路として、銀ペーストをスクリーン印刷することにより形成して上部電極シートを得た。
【００４８】
さらに、ロール状の厚み１２５μｍのＰＥＴフィルムからなる可撓性の透明絶縁フィルムを用い、片面に紫外線硬化型のアクリル系のハードコートをグラビア印刷で塗布し、片面ハードコート付きＰＥＴフィルムを得た。また、ロール状の厚み５０μｍのＰＥＴフィルムからなる可撓性の透明絶縁フィルムを用い、片面にポリエステル系樹脂に顔料を分散した着色インキをスクリーン印刷にて画面透視入力部（ｉ）に透明窓部を有する加飾層を形成し、加飾フィルムを得た。更に前記片面ハードコート付きＰＥＴフィルムと前記加飾フィルムとをＰＳＡからなる透明粘着剤を用いて全面で貼合した後、縦横が上部電極シートと同寸法の縦長シート状にカットしてハードコート付きの加飾シートを得た。加飾シートの加飾層によって形成された柄は、図５に示すように透明窓部を除く全体に亘って「クローバー」の繰り返し柄が形成され、さらにキー入力部（ｉｉ）に０〜９の数字と「＊」及び「♯」の記号が配列されたテンキー柄が形成されたものである。
【００４９】
次に、上記加飾シートの加飾層側の面を上記上部電極シートの上部透明電極側とは反対面と厚み０．０２５ｍｍの基材レス透明粘着剤で貼り合わせ、また前記下部電極パネルと前記上部電極シートとを、それぞれに形成された電極間を隔てるように対向配置させ、画面透視入力部用抜き孔、キー入力部用抜き孔および前記ピン付ＦＰＣとの接続のための抜き孔を打ち抜いた額縁状の両面接着テープにより貼り合わせた。
【００５０】
その後、前記下部電極パネルに穿設された貫通孔に導電性接着剤のインキをディスペンサーにて注入した後、ピン付ＦＰＣの金属ピンを貫通孔の入り口に沿え、超音波インサート装置によって前記金属ピンの頭部に超音波振動と圧力を加えつつ前記金属ピンの軸部を前記貫通孔に圧入させることにより、前記金属ピンの各軸部を前記下部電極パネルに穿設された貫通孔の壁面を形成している樹脂を溶かしながら挿入し、保護パネルを得た。
【００５１】
＜実施例２＞
５０μｍのＰＥＴフィルムに真空蒸着法によりアルミを全面に形成したフィルム上に透明窓部を有する前記加飾層を形成した加飾フィルムを形成し、片面ハードコート付きＰＥＴフィルムに全面粘着剤で貼り合せ、カットしてハードコート付き加飾シートとした以外は、実施例１と同じ。
【００５２】
実施例１，２の保護パネルは、画面透視入力部とキー入力部について、その周囲と完全にシームレス（継ぎ目なし）のデザインが可能であり、油脂等の汚れを拭き取りやすく、またキー入力部についてその周囲と柄の見当ズレのないデザインが可能であるものであった。
【００５３】
なお前記様々な実施形態のうちの任意の実施形態を適宜組み合わせることにより、それぞれの有する効果を奏するようにすることができる。本発明は、添付図面を参照しながら好ましい実施形態に関連して充分に記載されているが、この技術の熟練した人々にとっては種々の変形や修正は明白である。そのような変形や修正は、請求の範囲による本発明の範囲から外れない限りにおいて、その中に含まれると理解されるべきである。
【図面の簡単な説明】
【００５４】
【図１】本発明に係る電子機器表示窓のタッチ入力機能付き保護パネルの使用例を示す斜視図である。
【図２】本発明に係る電子機器表示窓のタッチ入力機能付き保護パネルと製品との関係を図１のＡＡ断面において説明する図である。
【図３】本発明に係る電子機器表示窓のタッチ入力機能付き保護パネルの構成の一実施例を示す分解斜視図である。
【図４】本発明に係る電子機器表示窓のタッチ入力機能付き保護パネルのキー入力の検出原理を示す図である。
【図５】本発明に係る電子機器表示窓のタッチ入力機能付き保護パネルの加飾例を示す斜視図である。
【図６】本発明に係る電子機器表示窓のタッチ入力機能付き保護パネルと製品との関係を図１のＢＢ断面において説明する図である。
【図７】従来の広域入力可能なタッチパネルの使用例を示す斜視図である。
【図８】従来の広域入力可能なタッチパネルの使用例を示す斜視図である。
【図９】従来の広域入力可能なタッチパネルの構成を示す分解斜視図である。
【符号の説明】
【００５５】
１  電子機器表示窓のタッチ入力機能付き保護パネル
２  可動シート
２ａ  上部電極シート
２ｂ  加飾シート
３  下部電極パネル
３ａ  保護パネル
４  上部透明電極
５  下部透明電極
６ａ，６ｂ  下部バスバー
７ａ，７ｂ  上部バスバー
７ｃ  延長線部
７ｄ  入力キー用接点
８  絶縁シート  
８ａ  画面透視入力部用抜き孔
８ｂ  キー入力部用抜き孔
９  スペーサー
１０  ピン付ＦＰＣ
１７  絵柄
１７ａ  キー柄
１８  透明窓部
１９  製品（ケーシング）
２０  ディスプレイ
１００  タッチパネル
１００ａ  印刷部
１０１  キーシート
１０２ａ  製品（ケーシング）
１０２ｂ  製品（ケーシング）
１０３  上部電極シート
１０４  絶縁シート
１０４ａ  画面透視入力部用抜き孔
１０４ｂ  キー入力部用抜き孔  
１０５  下部電極シート
１０６  上部透明電極
１０７  下部透明電極
１０８ａ，１０８ｂ  下部バスバー
１０９ａ，１０９ｂ  上部バスバー
１０９ｃ  延長線部
１０９ｄ  入力キー用接点
１１０  ＦＰＣ
１１１  透視入力用開口部
１１２  キー入力用開口部
１１３  棧
１１４  キー入力用開口部
ｉ  画面透視入力部
ｉｉ  キー入力部
【図１】
2008262289.tif 000003
【図２】
2008262289.tif 000004
【図３】
2008262289.tif 000005
【図４】
2008262289.tif 000006
【図５】
2008262289.tif 000007
【図６】
2008262289.tif 000008
【図７】
2008262289.tif 000009
【図８】
2008262289.tif 000010
【図９】
2008262289.tif 000011